(57)【要約】【課題】音楽等のコンテンツの試し視聴を可能としながら、少量の追加データを入手することで高品質のコンテンツを再生可能にすると共に、試し視聴用の低品質のコンテンツのみで満足するユーザに対しても購買意欲を高め得る。【解決手段】試聴用として狭帯域再生されるように、原信号がフレーム単位で符号化されて得られる符号列の一部がダミーデータとされた第１の符号列であるフレームＦＢが配列された第１のフレーム部分である低音質部分と、上記原信号に他の信号、例えば「試聴データです。」等のメッセージ信号が合成された信号を符号化した符号列のフレームＦＡが配列された第２のフレーム部分であるメッセージ付加部分とが、所定間隔で交互に配置されている。【選択図】　図１７
2004063056.tif 000002
【特許請求の範囲】
【請求項１】
原信号がフレーム単位で符号化されて得られる符号列を再生する信号再生方法において、
第１のフレーム部分と、上記原信号に他の信号が合成された信号を符号化した符号列から成る第２のフレーム部分とを有する符号列を入力する符号列入力工程と、
上記第２のフレーム部分を上記原信号の対応するフレーム部分を符号化した符号列で置き換える置き換え工程と、
上記第１のフレーム部分と上記置き換え工程により置き換えられた符号列又は上記第２のフレーム部分とを復号する復号工程と
を有することを特徴とする信号再生方法。
【請求項２】
上記第１のフレーム部分は、上記原信号の符号列の一部がダミーデータとされた第１の符号列から成り、
上記第１の符号列の上記ダミーデータの少なくとも一部を第２の符号列を用いて補完する補完工程を有し、
上記復号工程では、上記補完工程により補完された符号列又は上記第１の符号列と、上記置き換え工程により置き換えられた符号列又は上記第２のフレームとを復号することを特徴とする請求項１記載の信号再生方法。
【請求項３】
上記他の信号はメッセージ信号であることを特徴とする請求項１記載の信号再生方法。
【請求項４】
上記第２のフレーム部分を置き換える上記原信号を符号化した符号列は暗号化されていることを特徴とする請求項１記載の信号再生方法。
【請求項５】
上記第２のフレーム部分は、所定の間隔毎に与えられることを特徴とする請求項１記載の信号再生方法。
【請求項６】
上記符号化においては、入力信号をスペクトル変換し、帯域分割して、各帯域毎の量子化精度情報、正規化係数情報、及びスペクトル係数情報を含む所定フォーマットの符号列を生成し、
上記ダミーデータは、上記スペクトル係数情報の一部に対応するものを含む
ことを特徴とする請求項２記載の信号再生方法。
【請求項７】
原信号がフレーム単位で符号化されて得られる符号列を再生する信号再生装置において、
第１のフレーム部分と、上記原信号に他の信号が合成された信号を符号化した符号列から成る第２のフレーム部分とを有する符号列を入力する符号列入力手段と、
上記第２のフレーム部分を上記原信号の対応するフレーム部分を符号化した符号列で置き換える符号列書き換え手段と、
上記第１のフレーム部分と上記置き換え手段により置き換えられた符号列又は上記第２のフレーム部分とを復号する復号手段と
を有することを特徴とする信号再生装置。
【請求項８】
上記第１のフレーム部分は、上記原信号の符号列の一部がダミーデータとされた第１の符号列から成り、
上記符号列書き換え手段は、上記第２のフレーム部分を上記原信号の対応するフレーム部分を符号化した符号列で置き換えると共に、上記第１の符号列の上記ダミーデータの少なくとも一部を第２の符号列を用いて補完するものであり、
上記復号手段は、上記補完された符号列又は上記第１の符号列と、上記置き換えられた符号列又は上記第２のフレームとを復号することを特徴とする請求項７記載の信号再生装置。
【請求項９】
上記他の信号はメッセージ信号であることを特徴とする請求項７記載の信号再生装置。
【請求項１０】
上記第２のフレーム部分を置き換える上記原信号を符号化した符号列は暗号化されていることを特徴とする請求項７記載の信号再生装置。
【請求項１１】
上記第２のフレーム部分は、所定の間隔毎に与えられることを特徴とする請求項７記載の信号再生装置。
【請求項１２】
上記符号化においては、入力信号をスペクトル変換し、帯域分割して、各帯域毎の量子化精度情報、正規化係数情報、及びスペクトル係数情報を含む所定フォーマットの符号列を生成し、
上記第１の符号列の上記ダミーデータの一部は、上記スペクトル係数情報の一部を含む
ことを特徴とする請求項８記載の信号再生装置。
【請求項１３】
原信号がフレーム単位で符号化されて得られる符号列を記録する信号記録方法において、
第１のフレーム部分と、上記原信号に他の信号が合成された信号を符号化した符号列から成る第２のフレーム部分とを有する符号列を入力する符号列入力工程と、
上記第２のフレーム部分を上記原信号の対応するフレーム部分を符号化した符号列で置き換える置き換え工程と
を有することを特徴とする信号記録方法。
【請求項１４】
上記第１のフレーム部分は、上記原信号の符号列の一部がダミーデータとされた第１の符号列から成り、
上記第１の符号列の上記ダミーデータの少なくとも一部を第２の符号列を用いて補完する補完工程を有することを特徴とする請求項１３記載の信号記録方法。
【請求項１５】
上記他の信号はメッセージ信号であることを特徴とする請求項１３記載の信号記録方法。
【請求項１６】
上記第２のフレーム部分を置き換える上記原信号を符号化した符号列は暗号化されていることを特徴とする請求項１３記載の信号記録方法。
【請求項１７】
上記第２のフレーム部分は、所定の間隔毎に与えられることを特徴とする請求項１３記載の信号記録方法。
【請求項１８】
上記符号化においては、入力信号をスペクトル変換し、帯域分割して、各帯域毎の量子化精度情報、正規化係数情報、及びスペクトル係数情報を含む所定フォーマットの符号列を生成し、
上記ダミーデータは、上記スペクトル係数情報の一部に対応するものを含む
ことを特徴とする請求項１４記載の信号記録方法。
【請求項１９】
原信号がフレーム単位で符号化されて得られる符号列を記録する信号記録装置において、
第１のフレーム部分と、上記原信号に他の信号が合成された信号を符号化した符号列から成る第２のフレーム部分とを有する符号列を入力する符号列入力手段と、
上記第２のフレーム部分を上記原信号の対応するフレーム部分を符号化した符号列で置き換える符号列書き換え手段と
を有することを特徴とする信号記録装置。
【請求項２０】
上記第１のフレーム部分は、上記原信号の符号列の一部がダミーデータとされた第１の符号列から成り、
上記符号列書き換え手段は、上記第２のフレーム部分を上記原信号の対応するフレーム部分を符号化した符号列で置き換えると共に、上記第１の符号列の上記ダミーデータの少なくとも一部を第２の符号列を用いて補完するものであることを特徴とする請求項１９記載の信号記録装置。
【請求項２１】
上記他の信号はメッセージ信号であることを特徴とする請求項１９記載の信号記録装置。
【請求項２２】
上記第２のフレーム部分を置き換える上記原信号を符号化した符号列は暗号化されていることを特徴とする請求項１９記載の信号記録装置。
【請求項２３】
上記第２のフレーム部分は、所定の間隔毎に与えられることを特徴とする請求項１９記載の信号記録装置。
【請求項２４】
上記符号化においては、入力信号をスペクトル変換し、帯域分割して、各帯域毎の量子化精度情報、正規化係数情報、及びスペクトル係数情報を含む所定フォーマットの符号列を生成し、
上記第１の符号列の上記ダミーデータの一部は、上記スペクトル係数情報の一部を含む
ことを特徴とする請求項２０記載の信号記録装置。
【請求項２５】
原信号がフレーム単位で符号化されて得られる符号列を生成する符号列生成方法において、
第１のフレーム部分と、上記原信号に他の信号が合成された信号を符号化した符号列から成る第２のフレーム部分とを有する符号列を生成する符号列生成工程
を有することを特徴とする符号列生成方法。
【請求項２６】
上記第１のフレーム部分は、上記原信号の符号列の一部がダミーデータとされた第１の符号列から成り、
上記符号列生成工程は、
上記原信号を符号化することにより所定フォーマットの符号列を生成する符号化工程と、
上記所定フォーマットの符号列の一部をダミーデータに書き換えて第１の符号列を生成する第１の符号列生成工程と、
上記第１の符号列の少なくとも一部を補完するための第２の符号列を生成する第２の符号列生成工程とを有する
ことを特徴とする請求項２５記載の符号列生成方法。
【請求項２７】
上記他の信号はメッセージ信号であることを特徴とする請求項２５記載の符号列生成方法。
【請求項２８】
上記第２のフレーム部分は、所定の間隔毎に与えられることを特徴とする請求項２５記載の符号列生成方法。
【請求項２９】
上記符号化においては、入力信号をスペクトル変換し、帯域分割して、各帯域毎の量子化精度情報、正規化係数情報、及びスペクトル係数情報を含む所定フォーマットの符号列を生成し、
上記ダミーデータは、上記スペクトル係数情報の一部に対応するものを含む
ことを特徴とする請求項２６記載の符号列生成方法。
【請求項３０】
上記第２のフレーム部分では、上記原信号に対する第１の合成係数Ｒ１と、上記他の信号に対する第２の合成係数Ｒ２とについて、
｜Ｒ１｜＜｜Ｒ２｜
の関係を満足することを特徴とする請求項２５記載の符号列生成方法。
【請求項３１】
上記第２のフレーム部分の少なくとも一部では、上記第１のフレーム部分との境界位置での上記第２の合成係数Ｒ２が０近傍の値となるように連続的に変化する係数値をとることを特徴とする請求項３０記載の符号列生成方法。
【請求項３２】
上記第１の合成係数Ｒ１と、上記第２の合成係数Ｒ２とについて、共に０以上の値とし、
Ｒ１＋Ｒ２＝１
の関係を満足することを特徴とする請求項３０記載の符号列生成方法。
【請求項３３】
原信号がフレーム単位で符号化されて得られる符号列が記録された記録媒体において、
第１のフレーム部分と、上記原信号に他の信号が合成された信号を符号化した符号列から成る第２のフレーム部分とを有する符号列が記録されている
ことを特徴とする記録媒体。
【請求項３４】
上記第１のフレーム部分は、上記原信号の符号列の一部がダミーデータとされた第１の符号列から成ることを特徴とする請求項３３記載の記録媒体。
【請求項３５】
上記他の信号はメッセージ信号であることを特徴とする請求項３３記載の記録媒体。
【請求項３６】
上記第２のフレーム部分は、所定の間隔毎に与えられることを特徴とする請求項３３記載の記録媒体。
【請求項３７】
上記符号化においては、入力信号をスペクトル変換し、帯域分割して、各帯域毎の量子化精度情報、正規化係数情報、及びスペクトル係数情報を含む所定フォーマットの符号列を生成し、
上記ダミーデータは、上記スペクトル係数情報の一部に対応するものを含む
ことを特徴とする請求項３４記載の記録媒体。
【請求項３８】
第１の信号の少なくとも一部分に対してメッセージ信号を重畳する信号重畳方法において、
上記第１の信号にメッセージ信号を重畳する部分の少なくとも一部では、上記第１の信号に対する第１の合成係数Ｒ１と、上記メッセージ信号に対する第２の合成係数Ｒ２とについて、
｜Ｒ１｜＜｜Ｒ２｜
の関係を満足すること
を特徴とする信号重畳方法。
【請求項３９】
上記第１の信号にメッセージ信号を重畳する部分では、上記第１の信号のみの部分との境界位置での上記第２の合成係数Ｒ２が０近傍の値となるように連続的に変化する係数値をとることを特徴とする請求項３８記載の信号重畳方法。
【請求項４０】
上記第１の信号に対する第１の合成係数Ｒ１と、上記メッセージ信号に対する第２の合成係数Ｒ２とについて、共に０以上の値とし、
Ｒ１＋Ｒ２＝１
の関係を満足することを特徴とする請求項３８記載の信号重畳方法。
【請求項４１】
第１の信号及びメッセージ信号とが入力され、上記第１の信号の少なくとも一部分に対してメッセージ信号を重畳する信号合成手段と、
上記第１の信号に対する第１の合成係数Ｒ１と、上記メッセージ信号に対する第２の合成係数Ｒ２との少なくとも一方を記憶する係数記憶手段又は係数発生手段と、
上記係数記憶手段又は係数発生手段からの合成係数に基づいて上記信号合成手段による上記第１の信号とメッセージ信号との合成を制御する制御手段とを有し、
上記制御手段は、上記第１の信号にメッセージ信号を重畳する部分の少なくとも一部で、上記第第１の合成係数Ｒ１と、上記第２の合成係数Ｒ２とについて、
｜Ｒ１｜＜｜Ｒ２｜
の関係を満足するように信号合成を制御すること
を特徴とする信号重畳装置。
【請求項４２】
上記第１の信号にメッセージ信号を重畳する部分では、上記第１の信号のみの部分との境界位置での上記第２の合成係数Ｒ２が０近傍の値となるように連続的に変化する係数値をとることを特徴とする請求項４１記載の信号重畳装置。
【請求項４３】
上記第１の信号に対する第１の合成係数Ｒ１と、上記メッセージ信号に対する第２の合成係数Ｒ２とについて、共に０以上の値とし、
Ｒ１＋Ｒ２＝１
の関係を満足することを特徴とする請求項４１記載の信号重畳装置。
【請求項４４】
第１の信号の少なくとも一部分に対してメッセージ信号を重畳し、重畳された信号を符号化する信号重畳符号化方法において、
上記第１の信号にメッセージ信号を重畳する部分の少なくとも一部では、上記第１の信号に対する第１の合成係数Ｒ１と、上記メッセージ信号に対する第２の合成係数Ｒ２について、
｜Ｒ１｜＜｜Ｒ２｜
の関係を満足すること
を特徴とする信号重畳符号化方法。
【請求項４５】
上記第１の信号にメッセージ信号を重畳する部分では、上記第１の信号のみの部分との境界位置での上記第２の合成係数Ｒ２が０近傍の値となるように連続的に変化する係数値をとることを特徴とする請求項４４記載の信号重畳符号化方法。
【請求項４６】
上記第１の信号に対する第１の合成係数Ｒ１と、上記メッセージ信号に対する第２の合成係数Ｒ２とについて、共に０以上の値とし、
Ｒ１＋Ｒ２＝１
の関係を満足することを特徴とする請求項４４記載の信号重畳符号化方法。
【請求項４７】
第１の信号及びメッセージ信号とが入力され、上記第１の信号の少なくとも一部分に対してメッセージ信号を重畳する信号合成手段と、
上記第１の信号に対する第１の合成係数Ｒ１と、上記メッセージ信号に対する第２の合成係数Ｒ２との少なくとも一方を記憶する係数記憶手段又は係数発生手段と、
上記係数記憶手段又は係数発生手段からの合成係数に基づいて上記信号合成手段による上記第１の信号とメッセージ信号との合成を制御する制御手段と、
上記信号合成手段からの出力信号を符号化する符号化手段とを有し、
上記制御手段は、上記第１の信号にメッセージ信号を重畳する部分の少なくとも一部で、上記第第１の合成係数Ｒ１と、上記第２の合成係数Ｒ２とについて、
｜Ｒ１｜＜｜Ｒ２｜
の関係を満足するように信号合成を制御すること
を特徴とする信号重畳符号化装置。
【請求項４８】
上記第１の信号にメッセージ信号を重畳する部分では、上記第１の信号のみの部分との境界位置での上記第２の合成係数Ｒ２が０近傍の値となるように連続的に変化する係数値をとることを特徴とする請求項４７記載の信号重畳符号化装置。
【請求項４９】
上記第１の信号に対する第１の合成係数Ｒ１と、上記メッセージ信号に対する第２の合成係数Ｒ２とについて、共に０以上の値とし、
Ｒ１＋Ｒ２＝１
の関係を満足することを特徴とする請求項４７記載の信号重畳符号化装置。
【発明の詳細な説明】
【０００１】
【発明の属する技術分野】
本発明は、信号再生方法及び装置、信号記録方法及び装置、符号列生成方法、記録媒体、信号重畳方法及び装置、並びに信号重畳符号化方法及び装置に関するものであり、例えば、試し視聴が可能なように信号を符号化するとともに、その結果、試し視聴者が購入を決めれば、少ない情報量のデータを追加して高品質での再生や記録を可能にするような信号再生方法及び装置、信号記録方法及び装置、符号列生成方法、記録媒体、信号重畳方法及び装置、並びに信号重畳符号化方法及び装置に関するものである。
【０００２】
【従来の技術】
例えば音響などの信号を暗号化して放送したり、記録媒体に記録して、暗号解読用の鍵を購入した者に対してのみ、その視聴を許可するというコンテンツ（ソフトウェア）の流通方法が知られている。
【０００３】
暗号化の方法としては、例えば、ＰＣＭの音響信号のビット列に対して鍵信号として乱数系列の初期値を与え、発生した０／１の乱数系列と上記ＰＣＭのビット列との排他的論理和をとったビット列を送信したり記録媒体に記録する方法が知られている。この方法を使用することにより、鍵信号を入手した者のみがその音響信号を正しく再生できるようにし、鍵信号を入手しなかった者は雑音しか再生できないようにすることができる。もちろん、暗号化方法としては、いわゆるＤＥＳ（Ｄａｔａ　Ｅｎｃｒｙｐｔｉｏｎ　Ｓｔａｎｄａｒｄ）等のような、より複雑な方法を用いることも可能である。なお、ＤＥＳの規格については、文献「Ｆｅｄｅｒａｌ　Ｉｎｆｏｒｍａｔｉｏｎ　Ｐｒｏｃｅｓｓｉｎｇ　Ｓｔａｎｄａｒｄｓ　Ｐｕｂｌｉｃａｔｉｏｎ　４６，Ｓｐｅｃｉｆｉｃａｔｉｏｎｓ　ｆｏｒ　ｔｈｅ　ＤＡＴＡ　ＥＮＣＲＹＰＴＩＯＮ　ＳＴＡＮＤＡＲＤ，１９７７，　Ｊａｎｕａｒｙ　１５」に、その内容が開示されている。
【０００４】
一方、音響信号を圧縮して放送したり、記録媒体に記録する方法が、普及しており、符号化されたオーディオ或いは音声等の信号を記録可能な光磁気ディスク等の記録媒体が広く使用されている。
【０００５】
オーディオ或いは音声等の信号の高能率符号化の手法には種々あるが、例えば、時間軸上のオーディオ信号等をブロック化しないで、複数の周波数帯域に分割して符号化する非ブロック化周波数帯域分割方式である、帯域分割符号化（サブ・バンド・コーディング：ＳＢＣ）や、時間軸の信号を周波数軸上の信号に変換（スペクトル変換）して複数の周波数帯域に分割し、各帯域毎に符号化するブロック化周波数帯域分割方式、いわゆる変換符号化等を挙げることができる。また、上述の帯域分割符号化と変換符号化とを組み合わせた高能率符号化の手法も考えられており、この場合には、例えば、上記帯域分割符号化で帯域分割を行った後、該各帯域毎の信号を周波数軸上の信号にスペクトル変換し、このスペクトル変換された各帯域毎に符号化が施される。
【０００６】
ここで、上述したフィルタとして、例えばＱＭＦフィルタがあり、このＱＭＦフィルタについては、文献「１９７６，　Ｒ．Ｅ．Ｃｒｏｃｈｉｅｒｅ，　Ｄｉｇｉｔａｌ　ｃｏｄｉｎｇ　ｏｆ　ｓｐｅｅｃｈ　ｉｎ　ｓｕｂｂａｎｄｓ，　Ｂｅｌｌ　Ｓｙｓｔ．　Ｔｅｃｈ．　Ｊ．　Ｖｏｌ．５５，　Ｎｏ．８，　１９７６」　に述べられている。また、文献「ＩＣＡＳＳＰ　８３，　ＢＯＳＴＯＮ，　Ｐｏｌｙｐｈａｓｅ　Ｑｕａｄｒａｔｕｒｅ　ｆｉｌｔｅｒｓ−Ａ　ｎｅｗ　ｓｕｂｂａｎｄ　ｃｏｄｉｎｇ　ｔｅｃｈｎｉｑｕｅ，　Ｊｏｓｅｐｈ　Ｈ．　Ｒｏｔｈｗｅｉｌｅｒ」には、等バンド幅のフィルタ分割手法が述べられている。
【０００７】
また、上述したスペクトル変換としては、例えば、入力オーディオ信号を所定単位時間（フレーム）でブロック化し、当該ブロック毎に離散フーリエ変換（ＤＦＴ）、離散コサイン変換（ＤＣＴ）、モディファイドＤＣＴ（ＭＤＣＴ）等を行うことで時間軸を周波数軸に変換するようなスペクトル変換がある。ＭＤＣＴについては、文献「ＩＣＡＳＳＰ，　１９８７，　Ｓｕｂｂａｎｄ／Ｔｒａｎｓｆｏｒｍ　Ｃｏｄｉｎｇ　Ｕｓｉｎｇ　Ｆｉｌｔｅｒ　ＢａｎｋＤｅｓｉｇｎｓ　Ｂａｓｅｄ　ｏｎ　Ｔｉｍｅ　Ｄｏｍａｉｎ　Ａｌｉａｓｉｎｇ　Ｃａｎｃｅｌｌａｔｉｏｎ，　Ｊ．Ｐ．Ｐｒｉｎｃｅｎ，　Ａ．Ｂ．Ｂｒａｄｌｅｙ，　Ｕｎｉｖ．　ｏｆ　Ｓｕｒｒｅｙ　Ｒｏｙａｌ　Ｍｅｌｂｏｕｒｎｅ　Ｉｎｓｔ．　ｏｆ　Ｔｅｃｈ．」　に述べられている。
【０００８】
波形信号をスペクトルに変換する方法として、上述のＤＦＴやＤＣＴを使用した場合には、Ｍ個のサンプルからなる時間ブロックで変換を行うとＭ個の独立な実数データが得られる。時間ブロック間の接続歪みを軽減するために、通常、両隣のブロックとそれぞれＭ１個のサンプルずつオーバーラップさせるので、平均して、ＤＦＴやＤＣＴでは（Ｍ−Ｍ１）個のサンプルに対してＭ個の実数データを量子化して符号化することになる。
【０００９】
これに対してスペクトルに変換する方法として上述のＭＤＣＴを使用した場合には、両隣の時間とＭ個ずつオーバーラップさせた２Ｍ個のサンプルから、独立なＭ個の実数データが得られるので、平均して、ＭＤＣＴではＭ個のサンプルに対してＭ個の実数データを量子化して符号化することになる。復号装置においては、このようにしてＭＤＣＴを用いて得られた符号から各ブロックにおいて逆変換を施して得られた波形要素を互いに干渉させながら加え合わせることにより、波形信号を再構成することができる。
【００１０】
一般に変換のための時間ブロックを長くすることによって、スペクトルの周波数分解能が高まり、特定のスペクトル成分にエネルギーが集中する。したがって、両隣のブロックと半分ずつオーバーラップさせて長いブロック長で変換を行い、しかも得られたスペクトル信号の個数が、元の時間サンプルの個数に対して増加しないＭＤＣＴを使用することにより、ＤＦＴやＤＣＴを使用した場合よりも効率の良い符号化を行うことが可能となる。また、隣接するブロック同士に十分長いオーバーラップを持たせることによって、波形信号のブロック間歪みを軽減することもできる。
【００１１】
このようにフィルタやスペクトル変換によって帯域毎に分割された信号を量子化することにより、量子化雑音が発生する帯域を制御することができ、マスキング効果などの性質を利用して聴覚的により高能率な符号化を行なうことができる。また、ここで量子化を行なう前に、各帯域毎に、例えばその帯域における信号成分の絶対値の最大値で正規化を行なうようにすれば、さらに高能率な符号化を行なうことができる。
【００１２】
周波数帯域分割された各周波数成分を量子化する場合の周波数分割幅としては、例えば人間の聴覚特性を考慮した帯域分割が行われる。すなわち、一般に臨界帯域（クリティカルバンド）と呼ばれている高域程帯域幅が広くなるような帯域幅で、オーディオ信号を複数（例えば２５バンド）の帯域に分割することがある。また、この時の各帯域毎のデータを符号化する際には、各帯域毎に所定のビット配分或いは、各帯域毎に適応的なビット割当て（ビットアロケーション）による符号化が行われる。例えば、上記ＭＤＣＴ処理されて得られた係数データを上記ビットアロケーションによって符号化する際には、上記各ブロック毎のＭＤＣＴ処理により得られる各帯域毎のＭＤＣＴ係数データに対して、適応的な割当てビット数で符号化が行われることになる。
【００１３】
このようなビット割当手法としては、次の２手法が知られている。すなわち、先ず文献「Ａｄａｐｔｉｖｅ　Ｔｒａｎｓｆｏｒｍ　Ｃｏｄｉｎｇ　ｏｆ　Ｓｐｅｅｃｈ　Ｓｉｇｎａｌｓ，　Ｒ．　Ｚｅｌｉｎｓｋｉ　ａｎｄ　Ｐ．　Ｎｏｌｌ，　ＩＥＥＥ　Ｔｒａｎｓａｃｔｉｏｎｓ　ｏｆ　Ａｃｏｕｓｔｉｃｓ，　Ｓｐｅｅｃｈ，　ａｎｄ　Ｓｉｇｎａｌ　Ｐｒｏｃｅｓｓｉｎｇ，　ｖｏｌ．ＡＳＳＰ−２５，　Ｎｏ．４，　Ａｕｇｕｓｔ　１９７７」では、各帯域毎の信号の大きさをもとに、ビット割当を行なっている。この方式では、量子化雑音スペクトルが平坦となり、雑音エネルギー最小となるが、聴感覚的にはマスキング効果が利用されていないために実際の雑音感は最適ではない。また、文献「ＩＣＡＳＳＰ　１９８０，　Ｔｈｅ　ｃｒｉｔｉｃａｌ　ｂａｎｄ　ｃｏｄｅｒ　−−　ｄｉｇｉｔａｌ　ｅｎｃｏｄｉｎｇ　ｏｆ　　ｔｈｅ　ｐｅｒｃｅｐｔｕａｌ　ｒｅｑｕｉｒｅｍｅｎｔｓ　ｏｆ　ｔｈｅ　ａｕｄｉｔｏｒｙ　ｓｙｓｔｅｍ，　Ｍ．Ａ．Ｋｒａｎｓｎｅｒ　ＭＩＴ」　では、聴覚マスキングを利用することで、各帯域毎に必要な信号対雑音比を得て固定的なビット割当を行なう手法が述べられている。しかしこの手法ではサイン波入力で特性を測定する場合でも、ビット割当が固定的であるために特性値が、それほど良い値とならない。
【００１４】
これらの問題を解決するために、ビット割当に使用できる全ビットが、各小ブロック毎にあらかじめ定められた固定ビット割当パターン分と、各ブロックの信号の大きさに依存したビット配分を行なう分に分割使用され、その分割比を入力信号に関係する信号に依存させ、前記信号のスペクトルが滑らかなほど前記固定ビット割当パターン分への分割比率を大きくする高能率符号化装置が提案されている。
【００１５】
この方法によれば、サイン波入力のように、特定のスペクトルにエネルギーが集中する場合にはそのスペクトルを含むブロックに多くのビットを割り当てる事により、全体の信号対雑音特性を著しく改善することができる。一般に、急峻なスペクトル成分をもつ信号に対して人間の聴覚は極めて敏感であるため、このような方法を用いる事により、信号対雑音特性を改善することは、単に測定上の数値を向上させるばかりでなく、聴感上、音質を改善するのに有効である。
【００１６】
ビット割り当ての方法にはこの他にも数多くのやり方が提案されており、さらに聴覚に関するモデルが精緻化され、符号化装置の能力があがれば聴覚的にみてより高能率な符号化が可能になる。これらの方法においては、計算によって求められた信号対雑音特性をなるべく忠実に実現するような実数のビット割り当て基準値を求め、それを近似する整数値を割り当てビット数とすることが一般的である。
【００１７】
また、本件発明者等が先に提案した特願平５−１５２８６５号、又はＷＯ９４／２８６３３の明細書及び図面においては、スペクトル信号から聴感上特に重要なトーン性の成分、すなわち特定の周波数周辺にエネルギーが集中している信号成分、を分離して、他のスペクトル成分とは別に符号化する方法が提案されており、これにより、オーディオ信号等を聴感上の劣化を殆ど生じさせずに高い圧縮率で効率的に符号化することが可能になっている。
【００１８】
実際の符号列を構成するにあたっては、先ず、正規化および量子化が行なわれる帯域毎に量子化精度情報、正規化係数情報を所定のビット数で符号化し、次に、正規化および量子化されたスペクトル信号を符号化すればよい。また、
ＩＳＯ／ＩＥＣ　１１１７２−３：　１９９３（Ｅ），　１９９３
では、帯域によって量子化精度情報を表すビット数が異なるように設定された高能率符号化方式が記述されており、高域になるにしたがって、量子化精度情報を表すビット数が小さくなるように規格化されている。
【００１９】
量子化精度情報を直接符号化するかわりに、復号装置において、例えば、正規化係数情報から量子化精度情報を決定する方法も知られているが、この方法では、規格を設定した時点で正規化係数情報と量子化精度情報の関係が決まってしまうので、将来的にさらに高度な聴覚モデルに基づいた量子化精度の制御を導入することができなくなる。また、実現する圧縮率に幅がある場合には圧縮率毎に正規化係数情報と量子化精度情報との関係を定める必要が出てくる。
【００２０】
量子化されたスペクトル信号を、例えば、文献「Ｄ．Ａ．Ｈｕｆｆｍａｎ　：　Ａ　Ｍｅｔｈｏｄ　ｆｏｒＣｏｎｓｔｒｕｃｔｉｏｎ　ｏｆ　Ｍｉｎｉｍｕｍ　Ｒｅｄｕｎｄａｎｃｙ　Ｃｏｄｅｓ，　Ｐｒｏｃ．Ｉ．Ｒ．Ｅ．，　４０，　ｐ．１０９８　（１９５２）」に述べられている可変長符号を用いて符号化することによって、より効率的に符号化する方法も知られている。
【００２１】
【発明が解決しようとする課題】
ところで、上述のような方法で符号化された音響などの信号を暗号化して配布したり、記録媒体に記録して、鍵を購入した者に対してのみ、その視聴を許可するというソフトウェアコンテンツの流通方法が知られている。暗号化の方法としては、例えば、ＰＣＭ（Ｐｕｌｓｅ　Ｃｏｄｅ　Ｍｏｄｕｒａｔｉｏｎ）　の音響信号のビット列に対して、あるいは符号化された信号のビット列に対して、鍵信号として乱数系列の初期値を与え、発生した０／１の乱数系列と上記ビット列との排他的論理和をとったビット列を送信したり記録媒体に記録する方法が知られている。この方法を使用することにより、鍵信号を入手した者のみがその音響信号を正しく再生できるようにし、鍵信号を入手しなかった者は雑音しか再生できないようにすることができる。
【００２２】
しかしながら、これらのスクランブル方法では、鍵が無い場合、あるいは通常の再生手段で再生させた場合には、それを再生させると雑音になってしまい、そのソフトの内容把握をすることはできない。このため、例えば、比較的低音質で音楽を記録したディスクを配布し、それを試聴した者が自分の気に入ったものに対してだけ鍵を購入して高音質で再生できるようにする、あるいはそのソフトを試聴してから高音質で記録されたディスクを新たに購入できるようにする、といった用途に利用することができなかった。
【００２３】
また従来、高能率符号化を施した信号を暗号化する場合に、通常の再生手段にとって意味のある符号列を与えながら、その圧縮効率を下げないようにすることは困難であった。すなわち、前述のように、高能率符号を施してできた符号列にスクランブルをかけた場合、その符号列を再生しても雑音が発生するばかりではなく、スクランブルによってできた符号列が、元の高能率符号の規格に適合していない場合には、再生手段がまったく動作しないこともありうる。また逆に、ＰＣＭ信号にスクランブルをかけた後、高能率符号化した場合には例えば聴覚の性質を利用して情報量を削っていると、その高能率符号化を解除した時点で、必ずしも、ＰＣＭ信号にスクランブルをかけた信号が再現できるわけでは無いので、スクランブルを正しく解除することは困難なものになってしまう。このため、圧縮の方法としては効率は下がっても、スクランブルが正しく解除できる方法を選択する必要があった。
【００２４】
これに対して、本発明者等により先に提案された特開平１０−１３５９４４号公報に記載された技術によれば、例えば音楽信号をスペクトル信号に変換して符号化したもののうち、高域側のみを暗号化して狭帯域の信号であれば、鍵が無くても試聴が可能なオーディオ符号化方式が開示されている。すなわち、この方式では例えば、高域側を暗号化するとともに、高域側のビット割り当て情報等をダミーデータに置き換え、高域側の真のビット割り当て情報は、通常のデコーダが無視する位置に記録している。この方式を採用すれば、例えば、試聴の結果、気に入った音楽だけを高音質で楽しむことが可能となる。
【００２５】
ところで、上記特開平１０−１３５９４４号公報に記載された技術においては、その安全性を暗号化のみに依存しているため、万一、暗号が解読された場合には、料金を徴収できないまま、高音質の音楽を聴くことができてしまう危険性がある。
【００２６】
これに対して、高域側のような一部のデータを含まない低音質の試聴用のデータを無料あるいは低価格で提供し、気に入った音楽については少量の高音質化データを入手するだけで高音質化できるような方式が考えられているが、このような方式では、試し試聴の比較的低品質の音質に試聴者が満足してしまうと、高品質化のためのデータを購入してくれない恐れがある、という課題がある。
【００２７】
本発明は、上述のような実情に鑑みて提案されたものであって、試し視聴が可能でありながら、比較的少量の追加データを入手するだけで高品質の信号再生が行え、さらに、試し視聴が可能な低品質のデータであっても、それのみでユーザが満足することを防止し得るような信号再生方法及び装置、信号記録方法及び装置、符号列生成方法、記録媒体、信号重畳方法及び装置、並びに信号重畳符号化方法及び装置を提供することを目的とする。
【００２８】
【課題を解決するための手段】
本発明は、上述の問題点を考慮して提案されたものであり、音楽等のコンテンツに、例えば「試聴用データです。」といった短いメッセージを繰り返し重ね合わせた音楽等を符号化し、それを試聴したユーザがその曲の購入を決めた時には、メッセージを重ね合わせた部分の符号列に対しては、メッセージが含まれない音楽のみのデータの符号列で置き換えるようにしたものである。また、メッセージを重ね合わせる際の信号レベルを適切なものとして、メッセージがマスクされたりオーバーフローが生じたり、信号切換雑音が乗ったりする等の不具合を解消するようにしたものである。
【００２９】
ここで、本件出願人は、先に、ＰＣＴ／ＪＰ０２／０１１０６やＰＣＴ／ＪＰ０２／０１１０５（いずれも未公開）等において、試し視聴が可能なように、符号列の一部をダミーデータで置き換えたデータ（試し視聴データ）を配布し、帯域幅の狭い比較的低品質な再生音声や画像の再生を自由に行なわせ、その結果、その内容が気に入り、試し視聴者が購入を決めれば、ダミーデータを置き換える正しいデータ（高品質化データ）を受け取り、高品質での再生が楽しめるような技術を提案している。この場合、音楽信号を所定の長さのブロック毎にスペクトル係数に変換し、トーン性の成分とそれ以外の成分に分割し、トーン性成分はトーン性成分毎に正規化および再量子化し、それ以外の成分は所定の帯域毎に正規化および再量子化し、再量子化して得られたスペクトル信号を可変長符号を用いて低域側から符号化する際に、所定周波数以上にあるトーン性成分およびそれ以外の成分の正規化係数をダミーデータで置き換えるとともに、可変長符号化したスペクトル成分のうち、上記所定周波数以上にあるうちの低域側のスペクトル成分もダミーデータで置き換えるやり方が含まれている。このようにダミーデータを含む試聴用データ列に対して、ダミーデータを置き換える追加用データ列を入手し、両者を統合することにより、帯域の広い音楽信号を再生できるようになる。このような技術において、さらに、一部のフレーム列に対して、上述したような短いメッセージを繰り返し重ね合わせた音楽等を符号化しておき、それを試聴したユーザがその曲の購入を決めた時には、メッセージを重ね合わせた部分の符号列に対しては、メッセージが含まれない音楽のみのデータの符号列で置き換えるようにする。
【００３０】
すなわち、本発明に係る信号再生方法及び装置は、原信号がフレーム単位で符号化されて得られる符号列を再生する際に、第１のフレーム部分と、上記原信号に他の信号が合成された信号を符号化した符号列から成る第２のフレーム部分とを有する符号列を入力し、上記第２のフレーム部分を上記原信号の対応するフレーム部分を符号化した符号列で置き換え、上記第１のフレーム部分と、上記置き換えられた符号列又は上記第２のフレーム部分とを復号することを特徴とする。
【００３１】
ここで、本発明に係る信号再生方法及び装置としては、原信号がフレーム単位で符号化されて得られる符号列を再生する際に、上記符号列の一部がダミーデータとされた符号列から成る第１のフレーム部分と、上記原信号に他の信号が合成された信号を符号化した符号列から成る第２のフレーム部分とを有する第１の符号列を入力し、上記第２のフレーム部分を上記原信号の対応するフレーム部分を符号化した符号列で置き換え、上記第１の符号列の少なくとも一部を第２の符号列を用いて補完し、上記置き換えられた符号列、上記補完された符号列又は上記第１の符号列を復号することが挙げられる。
【００３２】
また、本発明に係る信号記録方法及び装置は、原信号がフレーム単位で符号化されて得られる符号列を記録する際に、第１のフレーム部分と、上記原信号に他の信号が合成された信号を符号化した符号列から成る第２のフレーム部分とを有する符号列を入力し、上記第２のフレーム部分を上記原信号の対応するフレーム部分を符号化した符号列で置き換えることを特徴とする。
【００３３】
また、本発明に係る符号列生成方法は、原信号がフレーム単位で符号化されて得られる符号列を生成する符号列生成方法において、第１のフレーム部分と、上記原信号に他の信号が合成された信号を符号化した符号列から成る第２のフレーム部分とを有する符号列を生成することを特徴とする。
【００３４】
さらに、本発明に係る記録媒体は、原信号がフレーム単位で符号化されて得られる符号列が記録された記録媒体において、第１のフレーム部分と、上記原信号に他の信号が合成された信号を符号化した符号列から成る第２のフレーム部分とを有する符号列が記録されていることを特徴とする。
【００３５】
ここで、上記第１のフレーム部分は、上記原信号の符号列の一部がダミーデータとされた第１の符号列から成ることが挙げられる。上記他の信号はメッセージ信号であることが挙げられ、上記第２のフレーム部分を置き換える上記原信号を符号化した符号列は暗号化されていることが挙げられ、また、上記第２のフレーム部分は、所定の間隔毎に与えられることが挙げられる。
【００３６】
また、上記符号化においては、入力信号をスペクトル変換し、帯域分割して、各帯域毎の量子化精度情報、正規化係数情報、及びスペクトル係数情報を含む所定フォーマットの符号列を生成し、上記ダミーデータは、上記スペクトル係数情報の一部に対応するものを含むことが挙げられる。
【００３７】
さらに、音楽信号とメッセージ信号をそのまま重ね合わせた場合、音楽信号のレベルが高いと、メッセージ信号が音楽信号によってマスクされてしまい、メッセージ信号を明瞭に聞き取れないという問題点があり、また、レベルの高い二つの音楽信号を単純に足し合わせると、レベルのレンジをオーバーフローを起こしてしまう場合があり、オーバーフローを起こした場合にはレベルの最大値または最小値で置き換えるという方法をとっても、ブチブチといった雑音がのってしまう場合があるという問題点があることを考慮し、本発明においては、メッセージ信号を重ね合わせる箇所において、元のオーディオ信号のレベルを下げてメッセージ信号を重ね合わせることによって上記のメッセージがマスクされたりオーバーフローが発生するような問題点を解決し、さらにこのレベルの変化を急激に行なうのではなく、滑らかにレベル変化をさせることにより、レベルが急激に変化する場合に生じるプチッといったような雑音が発生することを防止する。
【００３８】
すなわち、本発明に係る信号重畳方法及び装置は、第１の信号の少なくとも一部分に対してメッセージ信号を重畳する際に、上記第１の信号にメッセージ信号を重畳する部分の少なくとも一部では、上記第１の信号に対する第１の合成係数Ｒ１と、上記メッセージ信号に対する第２の合成係数Ｒ２とについて、
｜Ｒ１｜＜｜Ｒ２｜
の関係を満足することを特徴とする。
【００３９】
また、本発明に係る信号重畳符号化方法及び装置は、第１の信号の少なくとも一部分に対してメッセージ信号を重畳し、重畳された信号を符号化する際に、上記第１の信号にメッセージ信号を重畳する部分の少なくとも一部では、上記第１の信号に対する第１の合成係数Ｒ１と、上記メッセージ信号に対する第２の合成係数Ｒ２について、
｜Ｒ１｜＜｜Ｒ２｜
の関係を満足することを特徴とする。
【００４０】
【発明の実施の形態】
先ず、本発明に係る実施の形態を説明するに先立ち、本発明の実施の形態の説明に供する一般の圧縮データ記録再生装置としての光ディスク記録再生装置について、図面を参照しながら説明する。
【００４１】
図１は、光ディスク記録再生装置の一例を示すブロック図である。この図１に示す装置において、先ず記録媒体としては、スピンドルモータ５１により回転駆動される光磁気ディスク１が用いられる。光磁気ディスク１に対するデータの記録時には、例えば光学ヘッド５３によりレーザ光を照射した状態で記録データに応じた変調磁界を磁気ヘッド５４により印加することによって、いわゆる磁界変調記録を行い、光磁気ディスク１の記録トラックに沿ってデータを記録する。また再生時には、光磁気ディスク１の記録トラックを光学ヘッド５３によりレーザ光でトレースして磁気光学的に再生を行う。
【００４２】
光学ヘッド５３は、例えば、レーザダイオード等のレーザ光源、コリメータレンズ、対物レンズ、偏光ビームスプリッタ、シリンドリカルレンズ等の光学部品及び所定パターンの受光部を有するフォトディテクタ等から構成されている。この光学ヘッド５３は、光磁気ディスク１を介して上記磁気ヘッド５４と対向する位置に設けられている。光磁気デイスク１にデータを記録するときには、後述する記録系のヘッド駆動回路６６により磁気ヘッド５４を駆動して記録データに応じた変調磁界を印加すると共に、光学ヘッド５３により光磁気ディスク１の目的トラックにレーザ光を照射することによって、磁界変調方式により熱磁気記録を行う。またこの光学ヘッド５３は、目的トラックに照射したレーザ光の反射光を検出し、例えばいわゆる非点収差法によりフォーカスエラーを検出し、例えばいわゆるプッシュプル法によりトラッキングエラーを検出する。光磁気ディスク１からデータを再生するとき、光学ヘッド５３は上記フォーカスエラーやトラッキングエラーを検出すると同時に、レーザ光の目的トラックからの反射光の偏光角（カー回転角）の違いを検出して再生信号を生成する。
【００４３】
光学ヘッド５３の出力は、ＲＦ回路５５に供給される。このＲＦ回路５５は、光学ヘッド５３の出力から上記フォーカスエラー信号やトラッキングエラー信号を抽出してサーボ制御回路５６に供給するとともに、再生信号を２値化して後述する再生系のデコーダ７１に供給する。
【００４４】
サーボ制御回路５６は、例えばフォーカスサーボ制御回路やトラッキングサーボ制御回路、スピンドルモータサーボ制御回路、スレッドサーボ制御回路等から構成される。上記フォーカスサーボ制御回路は、上記フォーカスエラー信号がゼロになるように、光学ヘッド５３の光学系のフォーカス制御を行う。また上記トラッキングサーボ制御回路は、上記トラッキングエラー信号がゼロになるように光学ヘッド５３の光学系のトラッキング制御を行う。さらに上記スピンドルモータサーボ制御回路は、光磁気ディスク１を所定の回転速度（例えば一定線速度）で回転駆動するようにスピンドルモータ５１を制御する。また、上記スレッドサーボ制御回路は、システムコントローラ５７により指定される光磁気ディスク１の目的トラック位置に光学ヘッド５３及び磁気ヘッド５４を移動させる。このような各種制御動作を行うサーボ制御回路５６は、該サーボ制御回路５６により制御される各部の動作状態を示す情報をシステムコントローラ５７に送る。
【００４５】
システムコントローラ５７にはキー入力操作部５８や表示部５９が接続されている。このシステムコントローラ５７は、キー入力操作部５８による操作入力情報により操作入力情報により記録系及び再生系の制御を行う。またシステムコントローラ５７は、光磁気ディスク１の記録トラックからヘッダタイムやサブコードのＱデータ等により再生されるセクタ単位のアドレス情報に基づいて、光学ヘッド５３及び磁気ヘッド５４がトレースしている上記記録トラック上の記録位置や再生位置を管理する。さらにシステムコントローラ５７は、本圧縮データ記録再生装置のデータ圧縮率と上記記録トラック上の再生位置情報とに基づいて表示部５９に再生時間を表示させる制御を行う。
【００４６】
この再生時間表示は、光磁気ディスク１の記録トラックからいわゆるヘッダタイムやいわゆるサブコードＱデータ等により再生されるセクタ単位のアドレス情報（絶対時間情報）に対し、データ圧縮率の逆数（例えば１／４圧縮のときには４）を乗算することにより、実際の時間情報を求め、これを表示部５９に表示させるものである。なお、記録時においても、例えば光磁気ディスク等の記録トラックに予め絶対時間情報が記録されている（プリフォーマットされている）場合に、このプリフォーマットされた絶対時間情報を読み取ってデータ圧縮率の逆数を乗算することにより、現在位置を実際の記録時間で表示させることも可能である。
【００４７】
次に、この図１に示す光ディスク記録再生装置の記録系において、入力端子６０からのアナログオーディオ入力信号ＡＩＮがローパスフイルタ６１を介してＡ／Ｄ変換器６２に供給され、このＡ／Ｄ変換器６２は、上記アナログオーディオ入力信号ＡＩＮを量子化する。Ａ／Ｄ変換器６２から得られたデジタルオーディオ信号は、ＡＴＣ（適応変換符号化：Ａｄａｐｔｉｖｅ　Ｔｒａｎｓｆｏｒｍ　Ｃｏｄｉｎｇ）　エンコーダ６３に供給される。また、入力端子６７からのデジタルオーディオ入力信号ＤＩＮがデジタル入力インターフェース回路６８を介してＡＴＣエンコーダ６３に供給される。ＡＴＣエンコーダ６３は、上記入力信号ＡＩＮを上記Ａ／Ｄ変換器６２により量子化した所定転送速度のデジタルオーディオＰＣＭデータについて、所定のデータ圧縮率に応じたビット圧縮（データ圧縮）処理を行うものであり、ＡＴＣエンコーダ６３から出力される圧縮データ（ＡＴＣデータ）は、メモリ（ＲＡＭ）６４に供給される。例えばデータ圧縮率が１／８の場合について説明すると、ここでのデータ転送速度は、標準的なデジタルオーディオＣＤのフォーマットであるいわゆるＣＤ−ＤＡフォーマットのフオーマットのデータ転送速度（７５セクタ／秒）の１／８（９．３７５セクタ／秒）に低減されている。
【００４８】
次に、メモリ（ＲＡＭ）６４は、データの書き込み及び読み出しがシステムコントローラ５７により制御され、ＡＴＣエンコーダ６３から供給されるＡＴＣデータを一時的に記憶しておき、必要に応じてディスク上に記録するためのバッファメモリとして用いられている。すなわち、例えばデータ圧縮率が１／８の場合において、ＡＴＣエンコーダ６３から供給される圧縮オーディオデータは、そのデータ転送速度が、標準的なＣＤ−ＤＡフォーマットのデータ転送速度（７５セクタ／秒）の１／８、すなわち９．３７５セクタ／秒に低減されており、この圧縮データがメモリ６４に連続的に書き込まれる。この圧縮データ（ＡＴＣデータ）は、前述したように８セクタにつき１セクタの記録を行えば足りるが、このような８セクタおきの記録は事実上不可能に近いため、後述するようなセクタ連続の記録を行うようにしている。
【００４９】
この記録は、休止期間を介して、所定の複数セクタ（例えば３２セクタ＋数セクタ）から成るクラスタを記録単位として、標準的なＣＤ−ＤＡフォーマットと同じデータ転送速度（７５セクタ／秒）でバースト的に行われる。すなわちメモリ６４においては、上記ビット圧縮レートに応じた９．３７５（＝７５／８）セクタ／秒の低い転送速度で連続的に書き込まれたデータ圧縮率１／８のＡＴＣオーディオデータが、記録データとして上記７５セクタ／秒の転送速度でバースト的に読み出される。この読み出されて記録されるデータについて、記録休止期間を含む全体的なデータ転送速度は、上記９．３７５セクタ／秒の低い速度となっているが、バースト的に行われる記録動作の時間内での瞬時的なデータ転送速度は上記標準的な７５セクタ／秒となっている。従って、ディスク回転速度が標準的なＣＤ−ＤＡフォーマットと同じ速度（一定線速度）のとき、該ＣＤ−ＤＡフォーマットと同じ記録密度、記録パターンの記録が行われることになる。
【００５０】
メモリ６４から上記７５セクタ／秒の（瞬時的な）転送速度でバースト的に読み出されたＡＴＣオーディオデータすなわち記録データは、エンコーダ６５に供給される。ここで、メモリ６４からエンコーダ６５に供給されるデータ列において、１回の記録で連続記録される単位は、複数セクタ（例えば３２セクタ）から成るクラスタ及び該クラスタの前後位置に配されたクラスタ接続用の数セクタとしている。このクラスタ接続用セクタは、エンコーダ６５でのインターリーブ長より長く設定しており、インターリーブされても他のクラスタのデータに影響を与えないようにしている。
【００５１】
エンコーダ６５は、メモリ６４から上述したようにバースト的に供給される記録データについて、エラー訂正のための符号化処理（パリテイ付加及びインターリーブ処理）やＥＦＭ符号化処理などを施す。このエンコーダ６５による符号化処理の施された記録データが磁気ヘッド駆動回路６６に供給される。この磁気ヘッド駆動回路６６は、磁気ヘッド５４が接続されており、上記記録データに応じた変調磁界を光磁気ディスク１に印加するように磁気ヘッド５４を駆動する。
【００５２】
また、システムコントローラ５７は、メモリ６４に対する上述の如きメモリ制御を行うとともに、このメモリ制御によりメモリ６４からバースト的に読み出される上記記録データを光磁気ディスク１の記録トラックに連続的に記録するように記録位置の制御を行う。この記録位置の制御は、システムコントローラ５７によりメモリ６４からバースト的に読み出される上記記録データの記録位置を管理して、光磁気ディスク１の記録トラック上の記録位置を指定する制御信号をサーボ制御回路５６に供給することによって行われる。
【００５３】
次に、図１に示す光ディスク記録再生装置の再生系について説明する。この再生系は、上述の記録系により光磁気ディスク１の記録トラック上に連続的に記録された記録データを再生するためのものであり、光学ヘッド５３によって光磁気ディスク１の記録トラックをレーザ光でトレースすることにより得られる再生出力がＲＦ回路５５により２値化されて供給されるデコーダ７１を備えている。この場合、光磁気ディスクのみではなく、いわゆるＣＤ（コンパクトディスク：Ｃｏｍｐａｃｔ　Ｄｉｓｃ）と同じ再生専用光ディスクや、いわゆるＣＤ−Ｒタイプの光ディスクの読み出しも行なうことができる。
【００５４】
デコーダ７１は、上述の記録系におけるエンコーダ６５に対応するものであって、ＲＦ回路５５により２値化された再生出力について、エラー訂正のための上述の如き復号処理やＥＦＭ復号処理などの処理を行い、上述のデータ圧縮率１／８のＡＴＣオーディオデータを、正規の転送速度よりも早い７５セクタ／秒の転送速度で再生する。このデコーダ７１により得られる再生データは、メモリ（ＲＡＭ）７２に供給される。
【００５５】
メモリ（ＲＡＭ）７２は、データの書き込み及び読み出しがシステムコントローラ５７により制御され、デコーダ７１から７５セクタ／秒の転送速度で供給される再生データがその７５セクタ／秒の転送速度でバースト的に書き込まれる。また、このメモリ７２は、上記７５セクタ／秒の転送速度でバースト的に書き込まれた上記再生データがデータ圧縮率１／８に対応する９．３７５セクタ／秒の転送速度で連続的に読み出される。
【００５６】
システムコントローラ５７は、再生データをメモリ７２に７５セクタ／秒の転送速度で書き込むとともに、メモリ７２から上記再生データを上記９．３７５セクタ／秒の転送速度で連続的に読み出すようなメモリ制御を行う。また、システムコントローラ５７は、メモリ７２に対する上述の如きメモリ制御を行うとともに、このメモリ制御によりメモリ７２にバースト的に書き込まれる上記再生データを光磁気ディスク１の記録トラックから連続的に再生するように再生位置の制御を行う。この再生位置の制御は、システムコントローラ５７によりメモリ７２から連続的に読み出される上記再生データの再生位置を管理して、光磁気ディスク１もしくは光ディスク１の記録トラック上の再生位置を指定する制御信号をサーボ制御回路５６に供給することによって行われる。
【００５７】
メモリ７２から９．３７５セクタ／秒の転送速度で連続的に読み出された再生データとして得られるＡＴＣオーディオデータは、ＡＴＣデコーダ７３に供給される。このＡＴＣデコーダ７３は、上記記録系のＡＴＣエンコーダ６３に対応するもので、例えばＡＴＣデータを８倍にデータ伸張（ビット伸張）することで１６ビットのデジタルオーディオデータを再生する。このＡＴＣデコーダ７３からのデジタルオーディオデータは、Ｄ／Ａ変換器７４に供給される。
【００５８】
Ｄ／Ａ変換器７４は、ＡＴＣデコーダ７３から供給されるデジタルオーディオデータをアナログ信号に変換して、アナログオーディオ出力信号ＡＯＵＴ　を形成する。このＤ／Ａ変換器７４により得られるアナログオーディオ信号ＡＯＵＴは、ローパスフイルタ７５を介して出力端子７６から出力される。
【００５９】
次に、信号の高能率圧縮符号化について詳述する。すなわち、オーディオＰＣＭ信号等の入力デジタル信号を、帯域分割符号化（ＳＢＣ）、適応変換符号化（ＡＴＣ）及び適応ビット割当ての各技術を用いて高能率符号化する技術について、図２以降を参照しながら説明する。
【００６０】
図２は、本発明の実施の形態の説明に供する音響波形信号の符号化装置の具体例を示すブロック図である。この例において、入力された信号波形１０１は変換手段１１０１によって信号周波数成分の信号１０２に変換された後、信号成分符号化手段１１０２によって各成分が符号化され、符号列生成手段１１０３によって符号列１０４が生成される。
【００６１】
図３は図２の変換手段１１０１の具体例を示し、帯域分割フィルタによって二つの帯域に分割された信号がそれぞれの帯域においてＭＤＣＴ等の順スペクトル変換手段１２１１、１２１２により、スペクトル信号成分２２１、２２２に変換されている。図３の信号２０１は図２の信号１０１に対応し、図３の各信号２２１、２２２は図２の信号１０２に対応している。図３の変換手段で、信号２１１、２１２の帯域幅は信号２０１の帯域幅の１／２となっており、信号２０１の１／２に間引かれている。変換手段としてはこの具体例以外にも種々考えられ、例えば、入力信号を直接、ＭＤＣＴによってスペクトル信号に変換してもよいし、ＭＤＣＴではなく、ＤＦＴ（離散フーリエ変換）やＤＣＴ（離散コサイン変換）によって変換してもよい。いわゆる帯域分割フィルタによって信号を帯域成分に分割することも可能であるが、多数の周波数成分が比較的少ない演算量で得られる上記のスペクトル変換によって周波数成分に変換する方法をとると都合がよい。
【００６２】
図４は、図２の信号成分符号化手段１１０２の具体例を示し、入力信号３０１は、正規化手段１３０１によって所定の帯域毎に正規化が施された後（信号３０２）、量子化精度決定手段１３０２によって計算された量子化精度情報３０３に基づいて量子化手段１３０３によって量子化され、信号３０４として取り出される。図４の信号３０１は図２の信号１０２に、図４の信号３０４は図２の信号１０３に対応しているが、ここで、信号３０４には量子化された信号成分に加え、正規化係数情報や量子化精度情報も含まれている。
【００６３】
図５は、図２に示す符号化装置によって生成された符号列から音響信号を出力する復号装置の具体例を示すブロック図である。この具体例において、符号列４０１から符号列分解手段１４０１によって各信号成分の符号４０２が抽出され、それらの符号４０２から信号成分復号手段１４０２によって各信号成分４０３が復元された後、逆変換手段１４０３によって音響波形信号４０４が出力される。
【００６４】
図６は、図５の逆変換手段１４０３の具体例であるが、これは図３の変換手段の具体例に対応したもので、逆スペクトル変換手段１５０１、１５０２によって得られた各帯域の信号５１１、５１２が、帯域合成フィルタ１５１１によって合成されている。図６の各信号５０１、５０２は図５の信号４０３に対応し、図６の信号５２１は図５の信号４０４に対応している。
【００６５】
図７は、図５の信号成分復号手段１４０２の具体例で、図７の信号５５１は図５の信号４０２に対応し、図７の信号５５３は図５の信号４０３に対応する。スペクトル信号５５１は逆量子化手段１５５１によって逆量子化された後（信号５５２）、逆正規化手段１５５２によって逆正規化され、信号５５３として取り出される。
【００６６】
図８は、図２に示される符号化装置において、従来行なわれてきた符号化の方法について説明を行なうための図である。この図の例において、スペクトル信号は図３の変換手段によって得られたものであり、図８はＭＤＣＴのスペクトルの絶対値をレベルをｄＢに変換して示したものである。入力信号は所定の時間ブロック毎に例えば６４個のスペクトル信号に変換されており、それが例えば８つの帯域ｂ１からｂ８まで（以下、これらを符号化ユニットと呼ぶ）にまとめて正規化および量子化が行なわれる。量子化精度は周波数成分の分布の仕方によって符号化ユニット毎に変化させることにより、音質の劣化を最小限に押さえる聴覚的に効率の良い符号化が可能である。
【００６７】
図９は、上述のように符号化された信号を記録媒体に記録する場合の具体例を示したものである。この具体例では、各フレームの先頭に同期信号ＳＣを含む固定長のヘッダがついており、ここに符号化ユニット数ＵＮも記録されている。ヘッダの次には量子化精度情報ＱＮが上記符号化ユニット数だけ記録され、その後に正規化精度情報ＮＰが上記符号化ユニット数だけ記録されている。正規化および量子化されたスペクトル係数情報ＳＰはその後に記録されるが、フレームの長さが固定の場合、スペクトル係数情報ＳＰの後に、空き領域ができてもよい。この図の例は、図８のスペクトル信号を符号化したもので、量子化精度情報ＱＮとしては、最低域の符号化ユニットの例えば６ビットから最高域の符号化ユニットの例えば２ビットまで、図示されたように割り当てられ、正規化係数情報ＮＰとしては、最低域の符号化ユニットの例えば４６という値から最高域の符号化ユニットの例えば２２の値まで、図示されたように割り当てられている。なお、この正規化係数情報ＮＰとしては、例えばｄＢ値に比例した値が用いられている。
【００６８】
以上述べた方法に対して、さらに符号化効率を高めることが可能である。例えば、量子化されたスペクトル信号のうち、頻度の高いものに対しては比較的短い符号長を割り当て、頻度の低いものに対しては比較的長い符号長を割り当てることによって、符号化効率を高めることができる。また例えば、変換ブロック長を長くとることによって、量子化精度情報や正規化係数情報といったサブ情報の量を相対的に削減でき、また周波数分解能を上がるので、周波数軸上で量子化精度をよりこまやかに制御できるため、符号化効率を高めることができる。
【００６９】
さらにまた、本件発明者等が先に提案した特願平５−１５２８６５号、又はＷＯ９４／２８６３３の明細書及び図面においては、スペクトル信号から聴感上特に重要なトーン性の成分、すなわち特定の周波数周辺にエネルギーが集中している信号成分、を分離して、他のスペクトル成分とは別に符号化する方法が提案されており、これにより、オーディオ信号等を聴感上の劣化を殆ど生じさせずに高い圧縮率で効率的に符号化することが可能になっている。
【００７０】
図１０は、このような方法を用いて符号化を行なう場合の方法を説明するための図で、スペクトル信号から、特にレベルが高いものをトーン成分、例えばトーン成分Ｔｎ１〜Ｔｎ３として分離して符号化する様子を示している。各トーン成分Ｔｎ１〜Ｔｎ３に対しては、その位置情報、例えば位置データＰｏｓ１〜Ｐｏｓ３も必要となるが、トーン成分Ｔｎ１〜Ｔｎ３を抜き出した後のスペクトル信号は少ないビット数で量子化することが可能となるので、特定のスペクトル信号にエネルギが集中する信号に対して、このような方法をとると、特に効率の良い符号化が可能となる。
【００７１】
図１１は、このようにトーン性成分を分離して符号化する場合の、図２の信号成分符号化手段１１０２の構成を示したものである。図２の変換手段１１０１の出力信号１０２（図１１の信号６０１）は、トーン成分分離手段１６０１によって、トーン成分（信号６０２）と非トーン成分（信号６０３）とに分離され、それぞれ、トーン成分符号化手段１６０２および非トーン成分符号化手段１６０３によって符号化され、それぞれ信号６０４および６０５として取り出される。トーン成分符号化手段１６０２および非トーン成分符号化手段１６０３は、図４と同様の構成をとるが、トーン成分符号化手段１６０２はトーン成分の位置情報の符号化も行なう。
【００７２】
同様に図１２は、上述のようにトーン性成分を分離して符号化されたものを復号する場合の、図５の信号成分復号手段１４０２の構成を示したものである。図１２の信号７０１は図１１の信号６０４に対応し、図１２の信号７０２は図１１の信号６０５に対応する。信号７０１はトーン成分復号手段１７０１により復号され、信号７０３としてスペクトル信号合成手段１７０３に送られ、信号７０２は非トーン成分復号手段１７０２により復号され、信号７０４としてスペクトル信号合成手段１７０３に送られる。スペクトル信号合成手段１７０３は、トーン成分（信号７０３）と非トーン成分（信号７０４）とを合成し、信号７０５として出力する。
【００７３】
図１３は、上述のように符号化された信号を記録媒体に記録する場合の具体例を示したものである。この具体例では、トーン成分を分離して符号化しており、その符号列がヘッダ部と量子化精度情報ＱＮの間の部分に記録されている。トーン成分列に対しては、先ず、トーン成分数情報ＴＮが記録され、次に各トーン成分のデータが記録されている。トーン成分のデータとしては、位置情報Ｐ、量子化精度情報ＱＮ、正規化係数情報ＮＰ、スペクトル係数情報ＳＰが挙げられる。この具体例ではさらに、スペクトル信号に変換する変換ブロック長を、図９の具体例の場合の２倍にとって周波数分解能も高めてあり、さらに可変長符号も導入することによって、図９の具体例に比較して、同じバイト数のフレームに２倍の長さに相当する音響信号の符号列を記録している。
【００７４】
以上の説明は、本発明の実施の形態の説明に先立つ技術を説明したものであるが、本発明の実施の形態においては、例えばオーディオに適用する場合に、比較的低品質のオーディオ信号は内容の試聴用として自由に聞くことができるようにし、高品質のオーディオ信号は、比較的小量の追加データを購入などして入手することで聴けるようにするものであり、さらに、追加データ量を減らすために、試聴用のオーディオ信号に上記追加データの一部をそのままあるいは暗号化して埋め込むようにしている。
【００７５】
すなわち、本発明の実施の形態の前提技術においては、例えば、上記図９のように符号化されるべきところに、図１４に示すように、量子化精度情報ＱＮの内のダミーの量子化精度データとして、高域側の４つの符号化ユニットに対して０ビット割り当てを示すデータを符号化し、また、正規化係数情報ＮＰの内のダミーの正規化係数データとして高域側の４つの符号化ユニットには最小の値の正規化係数情報０を符号化する（この具体例では正規化係数はｄＢ値に比例した値をとるものとする）。このように、高域側の量子化精度情報を０にすることによって、試聴時に無視されるデータ係数情報の領域Ｎｅｇ、実際には図１４の領域Ｎｅｇの部分のスペクトル係数情報は無視され、これを通常の再生装置で再生すると、図１５に示したようなスペクトルを持つ狭帯域のデータが再生される。これを試聴用のデータとすることができる。また、正規化係数情報もダミーのデータを符号化することによって、量子化精度情報を推測して不正に高品質再生をすることが一層、困難になる。
【００７６】
なお、上記の例では、量子化精度情報と正規化係数情報の両者をダミーデータで置き換えているが、どちらか一方のみをダミーデータで置き換えるようにしてもよい。量子化精度情報のみを０ビットデータのダミーデータとした場合には、上記図１５に示したようなスペクトルを持つ狭帯域のデータが再生される。一方、正規化係数情報のみを０の値を持つダミーデータとした場合には、図１６に示したようなスペクトルを持つことになり、高域側のスペクトルは厳密には０にはならないが、可聴性という観点からは実質的には０と同じであり、本発明の実施の形態においては、この場合も含めて狭帯域信号と呼ぶことにする。
【００７７】
量子化精度情報および正規化係数情報のうち、どのデータをダミーデータにするかという点に関しては、これらの真の値を推測されて高品質再生されてしまうというリスクに関して差異がある。量子化精度情報と正規化係数情報の両者がダミーデータとなっている場合、これらの真の値を推測するためのデータが全く無いため、一番、安全である。量子化精度情報のみダミーデータにした場合には、例えば、元のビット割り当てアルゴリズムが正規化係数を元に量子化精度情報を求めるものである場合、正規化係数情報を手掛かりにして量子化精度情報を推測される危険性があるため、リスクは比較的高くなる。これに対して、量子化精度情報から正規化係数情報を求めることは比較的困難であるから、正規化係数情報のみをダミーデータとする方法は量子化精度情報のみをダミーデータとする方法と比較してリスクは低くなる。なお、帯域によって、量子化精度情報または正規化係数情報を選択的にダミーデータとするようにしてもよい。
【００７８】
この外、スペクトル係数情報の一部を０のダミーデータで置き換えるようにしてもよい。特に中域のスペクトルは音質上、重要な意味を持つので、この部分を０のダミーデータで置き換え、中高域部分はダミー量子化精度情報やダミー正規化係数情報で置き換えるようにしてもよい。このダミーデータは、必ずしも０で置き換える必要はなく、例えば可変長符号化する際に真の数値を表す符号より短くなるような任意の符号で置き換えるようにしてもよい。その場合、ダミー量子化精度情報やダミー正規化係数情報で置き換える帯域はスペクトル係数情報の一部をダミーデータに置き換える帯域をカバーさせるようにして、正しく狭帯域再生が行われるようにする。特にスペクトル係数情報の符号化に可変長符号を用いた場合、中域の一部の情報が欠落することによって、それより高域のデータは全て解読ができなくなる。
【００７９】
何れにしても、信号の内容に立ち入った比較的大きなデータを推測することは、通常の暗号化で用いる比較的短い鍵長を解読することに比べて困難であり、例えば、その曲の著作権者の権利が不正に侵されるリスクは低くなると言える。また、仮にある曲に対して、ダミーデータを推測されても、暗号アルゴリズムの解読方法が知られる場合と異なり、他の曲に対して被害が拡大する恐れはないので、その点からも特定の暗号化を施した場合よりも安全性が高いと言うことができる。
【００８０】
しかしながら、上記の方法では、試し視聴用の狭帯域の信号にユーザが満足してしまい、高品質化のためのデータの購入を行なわないで済ませるというリスクがある。そこで本発明の実施の形態では、帯域を制限すると共に、視聴内容とは異なる信号、例えば、オーディオ信号の場合に「試聴データです。」といった短いメッセージ信号を、部分的に重ね合わせるようにしている。具体的には、例えば、「試聴データです。」といった短いメッセージ信号を２０秒間毎に繰り返し音楽信号に重ね合わせた信号を試聴用として使用し、このメッセージを外すためには、この信号が重ね合わせられているフレームのみ、真の音楽信号（原信号）を符号化して得られる符号列で置き換えることによって、音楽の販売を行なう。ここで例えば、「試聴データです。」というメッセージが２秒間で、それが２０秒間隔で繰り返し再生されるとすると、このメッセージ部分を置き換えるためのデータ量は、高品質化されたデータの１／１０程度の大きさである。従って、ユーザが高品質化データを入手するのに要する時間は、上述した広帯域化のデータ量に加えて、このメッセージ部分の置き換えのためのデータ量を入手するために高品質化されたデータを入手する時間の１／１０程度が必要となるのみであり、全体でも高品質化されたデータを入手する時間の数分の一以下程度で済むことになる。なお、後述するように、ダミーデータを含まない広帯域の信号を符号化した部分と、この広帯域の信号に上記メッセージ等の他の信号が合成された信号を符号化した部分とを有する符号列を用いるようにしてもよい。
【００８１】
ここで、図１７は、本発明の実施の形態にて用いられる試聴用ファイルの一例を示したもので、一定の間隔を空けて音楽に上記「試聴データです。」というメッセージ信号を重ね合わせた信号を符号化したものを符号列の中に埋め込んでいる。この図１７の斜線部が、上述した音楽にメッセージ信号が重ね合わされたフレームＦＡが配列された部分（第２のフレーム部分）であり、他の部分は上述したような符号列の一部がダミーデータとされた低音質のフレームＦＢが配列された上記第１の符号列に相当する部分（第１のフレーム部分）である。なお、第１のフレーム部分は、ダミーデータを含まない高音質の再生が可能な符号列から成るようにしたり、高音質のフレームと低音質のフレームとが混在するようにしてもよい。
【００８２】
図１８は、図１７の試聴用ファイルのうち、音楽信号にメッセージ信号を重ね合わされたフレームの符号列を音楽信号のみの符号列に置換するための書き換え用フレームデータ列の部分と、上記低音質部分のダミーデータを置換するための真のデータを含む高音質化用フレームデータ列の部分とから成る高品質化ファイルの符号列の具体例である。各メッセージが付加された部分（図１７のフレームＦＡが配列された部分）に対し、書き換え開始フレームＩＤおよび書き換え終了フレームＩＤが符号化され、続いて実際の音楽信号のみを符号化した符号列（書き換え用フレームデータ列）が並んでいる。これに続いて、上記低音質部分（図１７のフレームＦＢが配列された部分、上記試し視聴用の第１の符号列に相当）を高音質化するためのフレームデータ列（上記第２の符号列に相当）が並んでいる。この高音質化フレームデータ列の１フレーム分の一例を図１９に示す。なお、この図１８の具体例では書き換え開始フレームＩＤおよび書き換え終了フレームＩＤが符号化されているが、メッセージを重ね合わされる部分が最初から決まっている場合には、これらの情報を符号化していなくても良い。
【００８３】
図１９は、上記高音質化フレームデータ列の１フレーム分の真の符号列の一例を示し、図１４に示されるＮ番フレームの情報を図９に示す情報に変更するためのものである。これにより、ダミーデータの入ったままの符号列（図１７のフレームＦＢが配列された部分）では図１５に示されるスペクトルを持つ再生音が、図８に示すスペクトルを持つ再生音に変化することになる。なお、ここで図１４のＮｅｇの部分の一部のスペクトル係数情報はダミーデータで置き換えられているものとしてある。
【００８４】
ここで、上記実施の形態においては、上記第１のフレーム部分は、上記ダミーデータを含む上記試し視聴用の第１の符号列としているが、上記ダミーデータを含まない高音質の（広帯域の）符号列を用いるようにしてもよく、この場合には、上記図１９に示す高音質化フレームデータ列は不要となる。また、上記第１のフレーム部分は、ダミーデータを含む上記試し視聴用の第１の符号列とダミーデータを含まない高音質の符号列とを混在させてもよい。
【００８５】
このように、第１のフレーム部分の少なくとも一部に上記ダミーデータを含まない高音質の（広帯域の）符号列が用いられる場合には、広帯域のデータの音質を確認できるという利点がある。
【００８６】
次に、図２０は、本発明の実施の形態に用いられる再生装置の例を示すブロック図であり、上記図５の従来の復号手段を改良したものである。この図２０の再生装置には、上記図１７に示したような、メッセージが重ね合わされた信号の符号列（フレームＦＡが配列された部分）と、一部をダミーデータで置き換えられた符号列（上記フレームＦＢが配列された部分、上記低音質の第１の符号列に相当）とが所定間隔で交互に配置された符号列８０１が入力されている。この入力符号列８０１は、例えば、上記メッセージが重ね合わされたフレームＦＡの列が２秒間続いたものと、上記低音質のフレームＦＢの列が１８秒間続いたものとが、交互に（全体として２０秒周期で）現れる符号列、等が挙げられる。周期は任意に設定でき、また、周期的でなくともよい。
【００８７】
このような入力符号列８０１は、先ず符号列書き換え手段１８０１に送られる。一方、制御手段１８０４には、図１８に示されるフォーマットの符号列（高品質化用の符号列）８０５が入力される。制御手段１８０４は、符号列書き換え手段１８０１を制御して、上記入力符号列８０１中の上記メッセージが重ね合わされた信号の符号列（上記図１７のフレームＦＡが配列された部分）を、図１８の書き換え用フレームデータ列で書き換え、また上記入力符号列８０１中の上記一部がダミーデータで置き換えられた符号列（上記図１７のフレームＦＢが配列された部分）のダミーデータの部分を、図１８の高音質化用フレームデータ列で書き換え、その結果を信号成分復号手段１８０２にデータ８０２として送る。信号成分復号手段１８０２は、このデータ８０２をスペクトル・データ８０３に復号し、逆変換手段１８０３はこれを時系列データ８０４に変換して、メッセージを含まない、また、広い帯域の高音質のオーディオ信号を再生する。ただし、制御手段１８０４の制御によっては、符号列の書き換えは行わずに、入力符号列８０１がそのまま、復号され、再生される。
【００８８】
図２１は、本発明の実施の形態に用いられる記録装置の一例を示すブロック図である。図２１において、入力符号列８２１は、上記図２０の入力符号列８０１と同様に、上記図１７に示したようなフレームＦＡが配列された部分と、フレームＦＢが配列された部分とが交互に配置された符号列であり、符号列書き換え手段１８２１に送られる。制御手段１８２３に入力される符号列８２４は、上記図２０の制御手段１８０４に入力される符号列８０５と同様に、図１８に示されるフォーマットの高品質化用の符号列である。制御手段１８２３は、符号列書き換え手段１８２１を制御して、上記入力符号列８２１中の上記メッセージが重ね合わされた信号の符号列（上記図１７のフレームＦＡの部分）を、図１８の書き換え用フレームデータ列で書き換え、また上記入力符号列８２１中の一部がダミーデータで置き換えられた符号列（上記図１７のフレームＦＢの部分）のダミーデータの部分を、図１８の高音質化用フレームデータ列で書き換え、その結果の符号列８２２を記録手段１８２２に送る。記録手段１８２２は符号列８２３を記録メディアに記録を行なう。なお、ここで符号列８２３を記録する記録メディアは、元々符号列８２１を記録していた記録メディアであるとしても良い。また、制御手段１８２３の制御によっては、符号列の書き換えは行わずに、入力符号列８２１がそのまま、他の記録メディアに記録される。
【００８９】
図２２は、本発明の実施の形態として、ソフトウェアを用いて再生を行なう場合の例を説明するためのフローチャートである。
【００９０】
先ずステップＳ１１において変数（フレーム番号）Ｊを初期化（Ｊ＝１）し、次のステップＳ１２にて、入力符号列中の現時点での処理対象フレームである第Ｊ番フレームが上記メッセージ信号を重ね合わされた信号のフレームであるメッセージ付きフレーム（図１７のフレームＦＡ）か否かを判別する。ＮＯのときには後述するステップＳ１５ａに進み、ＹＥＳのときは次のステップＳ１３に進む。ステップＳ１３では、音楽のみの再生（メッセージを含まない音楽の再生）を行なうか否かの判断を行ない、ＹＥＳのときは次のステップＳ１４に進み、ＮＯのときには後述するステップＳ１５ａに進む。ステップＳ１４では、上記メッセージ付きフレーム（図１７のフレームＦＡ）の符号列の内容を音楽信号だけのもの（図１８の書き換え用フレームデータ）に書き換え、次のステップＳ１５ａに進む。ステップＳ１５ａでは、上記入力符号列中の現フレームである第Ｊ番フレームに対して高音質再生を行なうか否か、すなわち、現フレームが上記一部をダミーデータで置き換えられた低音質部分のフレーム（図１７のフレームＦＢ）であって広帯域化（高音質化）を行うか否か、を判別する。高音質再生を行なうＹＥＳの場合には、上記図１８中の高音質化フレームデータ列中の該当フレームについての上記図１９に示された符号列を受け取り、ステップＳ１５ｂに進み、ＮＯの場合にはステップＳ１５ｃに進む。ステップＳ１５ｂでは、ダミーデータ部分を真のデータで書き換え、ステップＳ１５ｃに進む。ステップＳ１５ｃでは信号成分の復号を行ない、スペクトル信号を構成し、ステップＳ１６に進んでこれを時系列のオーディオ信号に逆変換し、ステップＳ１７に進む。ステップＳ１７では最終フレームであるかどうかのチェックを行ない、ＹＥＳであれば処理を終了し、ＮＯであれば、ステップＳ１８においてフレーム番号Ｊの値を１だけ増加し、ステップＳ１２に戻って上記の処理を繰り返す。このようにして、メッセージ付きで低音質の音楽を聞くか、あるいは代金を払うなどして余分なメッセージの付かない高音質の音楽だけを聞くか、選択的にオーディオ信号の再生を行なうことができる。この場合、低音質の音楽ではある程度満足できるユーザに対しても、メッセージが付加されていると満足できないことが多く、高品質化データの購買意欲を喚起することができるようになる。
【００９１】
図２３は、本発明の実施の形態に用いる記録方法で、ソフトウェアを用いて記録を行なう場合の手順を示したフローチャートの例である。この図２３において、ステップＳ２１では、変数（フレーム番号）Ｊを初期化（Ｊ＝１）し、次のステップＳ２２にて、現フレームである第Ｊ番フレームが上記メッセージ付きフレーム（図１７のフレームＦＡ）か否かを判別する。ＮＯのときには後述するステップＳ２５ａに進み、ＹＥＳのときは次のステップＳ２３に進む。ステップＳ２３では、メッセージを含まない音楽のみの再生を行なうかどうかの判断を行ない、ＹＥＳのときは次のステップＳ２４に進み、ＮＯのときには後述するステップＳ２５ａに進む。ステップＳ２４では、上記メッセージ付きフレームの符号列の内容を音楽信号だけのものに書き換え、次のステップＳ２５ａに進む。ステップＳ２５ａでは、高音質再生を行なうか否か、すなわち、現フレームが上記一部をダミーデータで置き換えられた低音質部分のフレーム（図１７のフレームＦＢ）であって広帯域化を行うか否かを判別する。ＹＥＳの場合には、ステップＳ２５ｂに進み、上記図１８中の高音質化フレームデータ列中の該当フレームについての上記図１９に示された符号列を受け取り、ＮＯの場合にはステップＳ２５ｃに進む。ステップＳ２５ｂでは、さらに、ダミーデータ部分を真のデータで書き換え、ステップＳ２５ｃに進む。ステップＳ２５ｃではそのフレームの符号列の記録を行ない、ステップＳ２６に進む。ステップＳ２６では最終フレームであるかどうかのチェックを行ない、ＹＥＳであれば処理を終了し、ＮＯであれば、ステップＳ２７に進んでフレーム番号Ｊの値を１だけ増加し、上記ステップＳ２２に戻って上述の処理を繰り返す。このようにして、メッセージ付きで低音質の音楽を記録するか、あるいは代金を払うなどして余分なメッセージの付かない高音質の音楽だけを記録するか、選択的にオーディオ信号の記録を行なうことができる。この場合、低音質の音楽ではある程度満足できるユーザに対しても、メッセージが付加されていると満足できないことが多く、高品質化データの購買意欲を喚起することができるようになる。
【００９２】
なお、本発明の実施の形態において、図１８に示されるようなメッセージ信号のついた音楽信号を音楽信号のみに置き換える符号列は暗号化などして、安全性を高めるようにすることが望ましい。
【００９３】
また、上記実施の形態においては、上記第１のフレーム部分は、上記ダミーデータを含む上記試し視聴用の第１の符号列としているが、上記ダミーデータを含まない高品質の（広帯域の）符号列を用いるようにしてもよく、あるいは、ダミーデータを含む上記試し視聴用の第１の符号列とダミーデータを含まない高品質の符号列とを混在させてもよい。
【００９４】
次に、上述した実施の形態における音楽信号とメッセージ信号を合成する際に、例えば、音楽信号とメッセージ信号を単純に足し合わせたりすると、音楽信号のレベルが高い場合、メッセージ信号が音楽信号によってマスクされてしまい、メッセージ信号を明瞭に聞き取れないという問題点があった。さらにまた、レベルの高い二つの音楽信号を単純に足し合わせると、レベルのレンジをオーバーフローを起こしてしまう場合があり、オーバーフローを起こした場合にはレベルの最大値または最小値で置き換えるという方法をとっても、ブチブチといった雑音がのってしまう場合があるという問題点があった。
【００９５】
そこで、本発明の実施の形態では、メッセージ信号を重ね合わせる箇所において、例えば元のオーディオ信号のレベルを下げてメッセージ信号を重ね合わせることによって上記の問題点を解決するようにしている。さらに、このレベルの変化を急激に行なうのではなく、滑らかにレベル変化をさせることにより、レベルが急激に変化する場合に生じるプチッといったような雑音が発生することを防止している。
【００９６】
すなわち、一般的に第１の信号（例えば音楽信号）の少なくとも一部分に対してメッセージ信号を重畳する際に、上記第１の信号にメッセージ信号を重畳する部分の少なくとも一部では、上記第１の信号に対する第１の合成係数Ｒ１と、上記メッセージ信号に対する第２の合成係数Ｒ２について、
｜Ｒ１｜＜｜Ｒ２｜
の関係を満足するようにしている。また、上記第１の信号にメッセージ信号を重畳する部分では、上記第１の信号のみの部分との境界位置での上記第２の合成係数Ｒ２が０近傍の値となるように連続的に変化する係数値をとるようにしている。具体的には、例えば、メッセージ信号の重畳開始点から第２の合成係数Ｒ２を０から徐々に増加して行き、また、メッセージ信号の重畳終了点に向かっては第２の合成係数Ｒ２を徐々に０にまで減少させるようにすることが挙げられる。さらに、上記第１の信号に対する第１の合成係数Ｒ１と、上記メッセージ信号に対する第２の合成係数Ｒ２とについて、共に０以上の値とし、各合成係数Ｒ１、Ｒ２の合計を１とする（Ｒ１＋Ｒ２＝１）ことが挙げられる。
【００９７】
図２４は、上述した音楽信号にメッセージ信号を重畳する方法の実施の形態を説明するための説明図であり、この実施の形態では、メッセージ重畳区間において、音楽信号に掛ける係数Ｒ１とメッセージ信号に掛ける係数Ｒ２は共に０以上の値をとり、その両者の合計（Ｒ１＋Ｒ２）が丁度、１になるように設定されている。これにより、先ず、両者の信号の合成により、オーバーフローが生じることがなくなる。また、この実施の形態では、実際のメッセージが入っている部分では、メッセージ信号に掛ける係数の値の方が、音楽信号に掛ける係数よりも大きくなっているので、元々のメッセージ信号をフル・レベルに近い大きさにしておけば、メッセージ信号が音楽信号によってマスキングされて聞こえなくなることがない。さらに、この実施の形態においては、音楽信号に掛ける係数Ｒ１が、メッセージ信号重畳部以外の部分とメッセージ信号重畳部分との間で、１．０から０．２５に少しずつ滑らかに（連続的に）変化しているため、レベルが急激に変化する場合に生じるプチッといったような雑音が発生することを防止することができる。
【００９８】
この図２４の例において、メッセージ重畳区間Ｔｍｘ内の実メッセージ区間Ｔｍ　では、音楽信号用係数Ｒ１が一定の０．２５となり、メッセージ信号用係数Ｒ２が一定の０．７５となっており、この実メッセージ区間Ｔｍ　では、音楽信号用係数Ｒ１がメッセージ信号用係数Ｒ２より小さい（Ｒ１＜Ｒ２）ため、メッセージ信号が音楽信号によってマスキングされて聞こえなくなることがない。メッセージ重畳区間Ｔｍｘの開始点ｔｓ　から実メッセージ区間Ｔｍ　の先端までは、音楽信号用係数Ｒ１が１．０から０．２５まで徐々に連続的に変化しており、またメッセージ信号用係数Ｒ２は、０．０から０．７５まで徐々に連続的に変化している。同様に、実メッセージ区間Ｔｍ　の後端からメッセージ重畳区間Ｔｍｘの終了点ｔｅ　までは、音楽信号用係数Ｒ１が０．２５から１．０まで徐々に連続的に変化しており、またメッセージ信号用係数Ｒ２は、０．７５から０．０まで徐々に連続的に変化している。これによって信号切換雑音等の発生が防止される。
【００９９】
なお、これらの信号を合成する場合に用いる係数は、合成する際に、計算式から求めても良いし、予め計算しておいた係数値をメモリーに格納しておき、合成の際に読みだすようにしても良い。また、この実施の形態では、メッセージ重畳区間Ｔｍｘの内、実メッセージ区間Ｔｍ　でない区間には、メッセージ信号として無音信号が入っているものとする。
【０１００】
また、上記各合成係数Ｒ１，Ｒ２は、上述したように時間経過に従って変化するものであり、具体的には例えばディジタル信号のメッセージ重畳区間内のサンプル位置Ｋを用いて、Ｒ１（Ｋ），Ｒ２（Ｋ）のように表されるものであるが、説明を容易化するために簡易的にＲ１，Ｒ２で表し、時間変化を説明する必要のある部分でＲ１（Ｋ），Ｒ２（Ｋ）のように表すものとする。
【０１０１】
次に、図２５は、本発明の信号重畳装置の実施の形態の一例の概略構成を示すものである。この図２５において、信号合成手段１８４１には、音楽信号８４１及びメッセージ信号８４２が入力され、これらの信号が、メッセージ重畳区間において、制御手段１８４３の制御の下、合成される。制御手段１８４３はこの合成のために、係数記憶手段１８４２からメッセージ信号に掛ける係数８４４（係数Ｒ２）を読み出すとともに、音楽信号に掛ける係数Ｒ１を、１．０からメッセージ信号に掛ける係数Ｒ２を引き算して求め（Ｒ１＝１．０−Ｒ２）、これらの係数に基づいて、制御信号８４５により、メッセージ重畳区間における信号合成を信号合成手段１８４１において行なわせる。信号合成手段１８４１からは、音楽信号にメッセージ信号が重畳された信号８４３が取り出される。これにより、このＰＣＭ信号を聞いてみて、気に入ったら購入するような場合、メッセージ信号重畳区間のサンプル信号のみを元の音楽信号に入れ替えるだけで、高速に、音楽鑑賞の妨げとなるメッセージ信号を消すことができる。
【０１０２】
次に、図２６は、音楽信号にメッセージ信号を重畳して符号化する信号重畳符号化装置の実施の形態の一例の概略構成を示すブロック図である。この図２６に示す信号重畳符号化装置は、上記図２５に示した信号重畳装置に符号化手段が付加されたものである。
【０１０３】
この図２６において、信号合成手段１８６１には、音楽信号８６１及びメッセージ信号８６２が入力され、これらの信号が、メッセージ重畳区間において、制御手段１８６３の制御の下、合成される。制御手段１８６３はこの合成のために、係数記憶手段１８６２からメッセージ信号に掛ける係数８６４（係数Ｒ２）を読み出すとともに、音楽信号に掛ける係数Ｒ１を、１．０からメッセージ信号に掛ける係数Ｒ２を引き算して求め（Ｒ１＝１．０−Ｒ２）、これらの係数に基づいて、制御信号８６５により、メッセージ重畳部分における信号合成を信号合成手段１８６１において行なわせる。信号合成手段１８６１からの出力８６３は、例えば上記図２に示されるような符号化手段１８６４に送られ、符号列８６６が生成される。これにより、この符号列を復号して聞いてみて、気に入ったら購入するような場合、メッセージ信号重畳区間を含む符号化フレームのみを元の音楽信号に入れ替えるだけで、高速に、音楽鑑賞の妨げとなるメッセージ信号を消すことができる。
【０１０４】
次に、図２７は、本発明の実施の形態に用いられる信号重畳方法を説明するためのフローチャートである。この図２７において、先ずステップＳ３１では、最初のサンプルを読み込むと同時に、サンプル番号を表す変数Ｊの値を１に設定し、次に、ステップＳ３２において、このサンプルをメッセージ信号付きのサンプルにするかどうかを判定する。この判定の規準としては、例えば、モノラルで４４．１ｋＨｚサンプリングの信号で２０秒間に２秒間ずつのメッセージを入れるものとして、上記変数Ｊを（４４１００×２０）で割り、その余りが（４４１００×３）以上、（４４１００×５）未満であれば、メッセージ重畳区間のサンプルであると判定し、そうでなければメッセージ重畳区間の最初のサンプルでないと判定するようにしてもよい。また、別の判定規準として、例えば記憶手段に予めメッセージ重畳区間の開始位置と終了位置のサンプル番号を記憶手段に記憶させておき、変数Ｊの値がこの範囲に収まっているかどうかから判定するようにしてもよい。
【０１０５】
上記ステップＳ３２においてＹｅｓ（メッセージ信号付きのサンプル）と判定されれば、ステップＳ３３に進み、上記サンプルが、メッセージ信号重畳区間で最初のサンプルであるかどうかを判定する。この判定の規準としては、例えば、モノラルで４４．１ｋＨｚサンプリングの信号で２０秒間に２秒ずつのメッセージを入れるものとして、上記変数Ｊを（４４１００×２０）で割り、その余りが（４４１００×３）であれば、メッセージ重畳区間の最初のサンプルであると判定し、そうでなければ音楽のみのフレームであると判定するようにしてもよい。また、別の判定規準として、例えば記憶手段に予めメッセージ重畳区間の開始位置のサンプル番号を記憶させておき、上記変数Ｊの値がこのサンプル番号と等しいかどうかから判定するようにしても良い。
【０１０６】
ステップＳ３３においてＹｅｓ（メッセージ信号重畳区間で最初のサンプル）であれば、ステップＳ３４に進んでメッセージ重畳区間内のサンプル番号を表す変数Ｋの値を１としてステップＳ３６に進み、ステップＳ３３においてＮｏであれば、ステップＳ３５に進んで変数Ｋの値を１だけ増やして（Ｋ＝Ｋ＋１）、ステップＳ３６に進む。ステップＳ３６では、係数記憶手段から現在のサンプルに対するメッセージ信号用係数Ｒ２（Ｋ）を読み出し、ステップＳ３７に進む。ステップＳ３７では、現在のサンプルに対する音楽信号用係数Ｒ１（Ｋ）を、１．０からＲ２（Ｋ）を引くことにより求め（Ｒ１（Ｋ）＝１．０−Ｒ２（Ｋ））、ステップＳ３８に進む。
【０１０７】
ステップＳ３８においては、Ｒ２（Ｋ）、Ｒ１（Ｋ）の値を信号合成手段に送り、メッセージ信号と音楽信号の両信号をこれらの係数Ｒ２（Ｋ）、Ｒ１（Ｋ）を用いて合成するように指示を出し、ステップＳ３９に進む。一方、ステップＳ３２において、このサンプルがメッセージ重畳区間のサンプルと判定されなかった場合には、ステップＳ４１に進み、信号合成手段に対して、音楽信号のみのＰＣＭ信号を出力するよう指示を出し、その後、ステップＳ３９に進む。ステップＳ３９では、次サンプルが読み込み可能かどうかどうかを判定し、Ｎｏであれば処理を終了し、Ｙｅｓであれば、ステップＳ４０に進んで、次サンプルを読み込むとともに、上記変数Ｊの値を１だけ増やして（Ｊ＝Ｊ＋１）、ステップＳ３２に戻り、上記の処理を繰り返す。
【０１０８】
以上説明した本発明に係る信号重畳方法及び装置、あるいは信号重畳符号化方法及び装置の実施の形態によれば、音楽にメッセージを重ね合わせた部分において、メッセージ信号がマスクされて聞こえにくくなったり、雑音が生じてしまうことが無くなり、ソフトの内容を確認してから高品質再生に必要な情報を入手すべきかどうかを判断する上において、より快適な試聴音を提供することが可能となり、より円滑なソフトウェアの配布をすることが可能となる。特に、帯域幅が狭くなっても満足してしまうユーザに対してもより円滑に高品質化データの購買意欲を喚起することができる。
【０１０９】
なお、以上の説明においては、同一のメッセージ信号を繰り返し、使用する場合について説明を行なったが、もちろん、メッセージ信号の内容は重畳部分の場所によって異なるようにしてもよい。また、メッセージ信号の配置間隔やメッセージ重畳区間の長さ等は、一定であっても、なくてもよい。さらに、音楽信号全般にわたってメッセージが重畳されている場合に対しても本発明の方法を適用可能である。
【０１１０】
また、上述の実施の形態においては、符号化されたビットストリームを記録媒体に記録する場合について説明を行なったが、本発明の方法はビットストリームを伝送する場合にも適用可能であり、これにより、例えば、放送されているメッセージ付きのオーディオ信号を、通常の音楽信号に置き換える符号列を入手した者のみが音楽信号だけを再生ができるようにし、その他の聴取者に対してはその内容が十分把握できるが、余分なメッセージの付いた音楽の再生ができるようにすることも可能である。
【０１１１】
さらに、上述の実施の形態においては、オーディオ信号を用いた場合を例にとって説明を行なったが、本発明は、画像信号に対しても適用することが可能である。すなわち、例えば、画像信号の一部に、メッセージ付きの画像を重ね合わせ、その一部のメッセージ信号を置き換える符号列で高品質化を図るようにしてもよい。また、元の画像信号の一部にメッセージ文字の輝度の高い画像信号を重ね合わせる場合、元の画像信号の輝度を下げてメッセージ文字の信号を重ね合わせることにより、元の画像信号によって、メッセージ文字が見えにくくなることを防止することができる。
【０１１２】
さらにまた、上記実施の形態における上記第１のフレーム部分は、上記ダミーデータを含む上記試し視聴用の第１の符号列としているが、上記ダミーデータを含まない高品質の（広帯域の）符号列を用いるようにしてもよく、あるいは、ダミーデータを含む上記試し視聴用の第１の符号列とダミーデータを含まない高品質の符号列とを混在させてもよい。
【０１１３】
【発明の効果】
本発明によれば、原信号がフレーム単位で符号化されて得られる符号列を再生あるいは記録する際に、第１のフレーム部分と、上記原信号に他の信号が合成された信号を符号化した符号列から成る第２のフレーム部分とを有する符号列を入力し、上記第２のフレーム部分を上記原信号の対応するフレーム部分を符号化した符号列で置き換ることにより、ソフトの内容を確認してから高品質再生に必要な情報を入手すべきかどうかを判断することが可能となり、より円滑なソフトウェアの配布をすることが可能となる。
【０１１４】
また、本発明によれば、原信号がフレーム単位で符号化されて得られる符号列を再生あるいは記録する際に、上記符号列の一部がダミーデータとされた第１の符号列から成る第１のフレーム部分と、上記原信号に他の信号が合成された信号を符号化した符号列から成る第２のフレーム部分とを有する符号列を入力し、上記第２のフレーム部分を上記原信号の対応するフレーム部分を符号化した符号列で置き換え、上記第１の符号列の少なくとも一部を第２の符号列を用いて補完することにより、ソフトの内容を確認してから高品質再生に必要な情報を入手すべきかどうかを判断することが可能となり、より円滑なソフトウェアの配布をすることが可能となり、特に、帯域幅が狭くなっても満足してしまうユーザに対しても高品質化データの購買意欲を喚起することができる。
【０１１５】
さらに、本発明によれば、第１の信号の少なくとも一部分に対してメッセージ信号を重畳する際に、上記第１の信号にメッセージ信号を重畳する部分では、上記第１の信号に対する第１の合成係数Ｒ１と、上記メッセージ信号に対する第２の合成係数Ｒ２とについて、
｜Ｒ１｜＜｜Ｒ２｜
の関係を満足することにより、音楽等の第１の信号にメッセージ信号を重ね合わせた部分において、メッセージ信号がマスクされて聞こえにくくなったりしてしまうことが無くなる。さらに、上記係数に関して、共に０以上の値をとし、
Ｒ１＋Ｒ２＝１
の関係を満足することにより、音楽等の第一の信号にメッセージ信号を重ね合わせた部分において、雑音が生じてしまうことが無くなる。
【図面の簡単な説明】
【図１】本発明の実施の形態の説明に供する光ディスク記録再生装置の一例の概略構成を示すブロック図である。
【図２】本発明の実施の形態の説明に供する符号化装置の一例の概略構成を示すブロック図である。
【図３】図２の符号化装置の変換手段の具体例を示すブロック図である。
【図４】図２の符号化装置の信号成分符号化手段の具体例を示すブロック図である。
【図５】本発明の実施の形態の説明に供する復号装置の一例の概略構成を示すブロック図である。
【図６】図５の復号装置の逆変換手段の具体例を示すブロック図である。
【図７】図５の復号装置の信号成分復号手段の具体例を示すブロック図である。
【図８】本発明の実施の形態の説明に供する符号化方法を説明するための図である。
【図９】本発明の実施の形態の説明に供する符号化方法により得られた符号列の一例を説明するための図である。
【図１０】本発明の実施の形態の説明に供する符号化方法の他の例を説明するための図である。
【図１１】図１０と共に説明した符号化方法を実現するための信号成分符号化手段の一例を示すブロック図である。
【図１２】図１０と共に説明した符号化方法により得られた符号列を復号するための復号装置に用いられる信号成分復号手段の一例を示すブロック図である。
【図１３】図１０と共に説明した符号化方法により得られた符号列の一例を示す図である。
【図１４】本発明の実施の形態の前提技術に用いられる符号化方法により得られた符号列の一例を示す図である。
【図１５】図１４と共に説明した符号化方法により得られた符号列を再生したときの再生信号のスペクトルの一例を示す図である。
【図１６】図１４と共に説明した符号化方法の他の例により得られた符号列を再生したときの再生信号のスペクトルの一例を示す図である。
【図１７】本発明の実施の形態に用いられる符号化方法により得られた符号列の一例を示す図である。
【図１８】本発明の実施の形態に用いられる符号化方法により得られた符号列を高品質化するための符号列の一例を示す図である。
【図１９】本発明に係る実施の形態に用いられる符号化方法により得られた符号列中の低音質部分のフレームのダミーデータを置き換えるための情報の一例を示す図である。
【図２０】本発明の実施の形態に用いられる再生装置の概略構成の一例を示すブロック図である。
【図２１】本発明の実施の形態に用いられる記録装置の概略構成の一例を示すブロック図である。
【図２２】本発明の実施の形態に用いられる再生方法を説明するためのフローチャートである。
【図２３】本発明の実施の形態に用いられる記録方法を説明するためのフローチャートである。
【図２４】本発明の実施の形態における音楽信号にメッセージ信号を重畳する方法を説明するための説明図である。
【図２５】音楽信号にメッセージ信号を重畳する信号重畳装置の実施の形態の一例の概略構成を示すブロック図である。
【図２６】音楽信号にメッセージ信号を重畳して符号化する信号重畳符号化装置の実施の形態の一例の概略構成を示すブロック図である。
【図２７】本発明の実施の形態に用いられる信号重畳方法を説明するためのフローチャートである。
【符号の説明】
１８０１，１８２１　符号列書き換え手段、　１８０２　信号成分復号手段、１８０３　逆変換手段、　１８０４，１８２３，１８４３，１８６３　制御手段、　１８２２　記録手段、　１８４１，１８６１　信号合成手段、　１８４２，１８６２　係数記憶手段、　１８６４　符号化手段
【図１】
2004063056.tif 000003
【図２】
2004063056.tif 000004
【図３】
2004063056.tif 000005
【図４】
2004063056.tif 000006
【図５】
2004063056.tif 000007
【図６】
2004063056.tif 000008
【図７】
2004063056.tif 000009
【図８】
2004063056.tif 000010
【図９】
2004063056.tif 000011
【図１０】
2004063056.tif 000012
【図１１】
2004063056.tif 000013
【図１２】
2004063056.tif 000014
【図１３】
2004063056.tif 000015
【図１４】
2004063056.tif 000016
【図１５】
2004063056.tif 000017
【図１６】
2004063056.tif 000018
【図１７】
2004063056.tif 000019
【図１８】
2004063056.tif 000020
【図１９】
2004063056.tif 000021
【図２０】
2004063056.tif 000022
【図２１】
2004063056.tif 000023
【図２２】
2004063056.tif 000024
【図２３】
2004063056.tif 000025
【図２４】
2004063056.tif 000026
【図２５】
2004063056.tif 000027
【図２６】
2004063056.tif 000028
【図２７】
2004063056.tif 000029